(57)【要約】【課題】腹部にかかる緊迫力と、ヒップなどの腹部以外の箇所にかかる緊迫力とを連動させることで、相乗的に体型補正機能を向上させた衣料を提供する。【解決手段】ジャカード編からなる地編が非弾性糸で編まれた経編地からなり、腹部布１１と、左右身頃布１２，１３とを有する衣料において、前記非弾性糸による地編の表側にあらわれる編組織を緊迫力の強弱の要求に応じて切り替えることにより、腹部布１１および左右身頃布１２，１３のそれぞれに、緊迫力の比較的強い部分と緊迫力の比較的弱い部分がパターン状に設けられ、腹部布１１の少なくとも中央部が前記緊迫力の比較的強い部分からなり、腹部布１１における緊迫力の比較的強い部分の下部両側の少なくとも一部が、左右身頃布１２，１３における緊迫力の比較的強い部分に連結されている。【選択図】  図１
2004339623.tif 000002
【特許請求の範囲】
【請求項１】
ジャカード編からなる地編が非弾性糸で編まれた経編地からなり、腹部布と、前記腹部布にそれぞれ接続される左右の身頃布とを有する衣料において、
前記非弾性糸による地編の表側にあらわれる編組織を緊迫力の強弱の要求に応じて切り替えることにより、前記腹部布および身頃布のそれぞれに、緊迫力の比較的強い部分と緊迫力の比較的弱い部分がパターン状に設けられ、
腹部布の少なくとも中央部が前記緊迫力の比較的強い部分からなり、
前記腹部布における緊迫力の比較的強い部分の下部両側の少なくとも一部が、前記身頃布における緊迫力の比較的強い部分に連結されていることを特徴とする、身体に密着する衣料。
【請求項２】
前記緊迫力の比較的強い部分が伸縮性を有する、請求項１に記載の身体に密着する衣料。
【請求項３】
前記腹部布において、前記緊迫力の比較的強い部分からなる領域が略工字状である、請求項１または２に記載の身体に密着する衣料。
【請求項４】
前記腹部布において、前記緊迫力の比較的強い部分からなる領域が略人字状である、請求項１または２に記載の身体に密着する衣料。
【請求項５】
前記腹部布において、前記緊迫力の比較的強い部分からなる領域が略Ｘ字状である、請求項１または２に記載の身体に密着する衣料。
【請求項６】
前記身頃布において、ヒップ部の膨らみの下に沿って腰部脇まで至る連続パターン状に前記緊迫力の比較的強い部分が形成されると共に、前記連続パターンにおける腰部脇から腹部下部に沿って、前記腹部布における緊迫力の比較的強い部分の下部両側まで至る連続パターン状に、前記緊迫力の比較的強い部分が形成された、請求項１〜５のいずれか一項に記載の身体に密着する衣料。
【請求項７】
前記衣料が前記身頃布から連続する脚部を有し、前記身頃布において、ヒップ部の膨らみの下に沿って腰部脇まで至る連続パターン状に前記緊迫力の比較的強い部分が形成されると共に、前記連続パターンにおける腰部脇から腹部下部に沿って、前記腹部布における緊迫力の比較的強い部分の下部両側を通って、前記脚部の大腿部内側まで至る連続パターン状に、前記緊迫力の比較的強い部分が形成された、請求項１〜５のいずれか一項に記載の身体に密着する衣料。
【請求項８】
前記腹部布における緊迫力の比較的強い部分の下部両側が、その幅の１／３以上において前記身頃布における緊迫力の比較的強い部分に連結されている、請求項１〜７のいずれか一項に記載の身体に密着する衣料。
【請求項９】
前記経編地に弾性糸が挿入され、緊迫力の強弱の要求に応じて、前記弾性糸の挿入本数及び／又は太さを変化させてなる領域を有する、請求項１〜８のいずれか一項に記載の身体に密着する衣料。
【請求項１０】
前記非弾性糸による地編の表側にあらわれる編組織の切り替えによる緊迫力の比較的強い部分と、前記弾性糸の変化による緊迫力の比較的強い領域とが、当該弾性糸の変化による緊迫力の比較的強い領域の幅の１／３以上において重なっている、請求項９に記載の身体に密着する衣料。
【請求項１１】
前記身頃布における裾部が、糸抜きにより端部始末不要に形成された、請求項１〜１０のいずれか一項に記載の身体に密着する衣料。
【請求項１２】
前記腹部布および身頃布の少なくとも一方として、裁断されたままで端部始末不要な布を、その裁断端部が衣料の裾部およびウェスト部の少なくとも一方の端部となるように用いた、請求項１〜１０のいずれか一項に記載の身体に密着する衣料。
【請求項１３】
前記腹部布および身頃布の少なくとも一方が、シングルラッセルジャカード編地から形成された、請求項１〜１２のいずれか一項に記載の身体に密着する衣料。
【請求項１４】
前記腹部布および身頃布の少なくとも一方が、弾性糸および非弾性糸の少なくとも一方が閉じ目の１×１トリコット組織の編地から形成された、請求項１〜１２のいずれか一項に記載の身体に密着する衣料。
【請求項１５】
衣料が、ガードル、ショーツ、ボディスーツ、水着、レオタード、スパッツ、スポーツ用タイツから選ばれた衣料である、請求項１〜１４のいずれか一項に記載の身体に密着する衣料。
【発明の詳細な説明】
【０００１】
【発明の属する技術分野】
本発明は、例えばガードル、ショーツ、ボディスーツ、水着、レオタード、スパッツ、スポーツ用タイツなどの身体に密着する衣料に関し、特に、所定の部位の緊迫力を高めることにより体型補正機能を有する衣料に関する。
【０００２】
【従来の技術】
従来、例えばガードル、ショーツ、ボディスーツ、水着、レオタード、スパッツ、スポーツ用タイツなどの身体に密着する衣料において、例えば腹部の伸縮性を補強するための当て布を付与したり、ヒップ下部に強い緊迫力を有する帯状カーブをジャカード柄により形成したりすることにより、体型補正機能を付与した衣料が知られている（例えば特許文献１参照）。
【０００３】
【特許文献１】
特許第３０２３３５４号公報（第１１頁、第１５図、第１６図）
【０００４】
【発明が解決しようとする課題】
このような従来の衣料では、腹部押え、ヒップアップなどの部位毎の体型補正効果を得ることはできた。しかし、より高い体型補正機能を実現しようとすると、例えば腹部の当て布やヒップ下部の帯状カーブの緊迫力をより高くするしかなく、それらの部分における局所的な圧迫力が強くなり、バランスの良い体型補正効果が得られず、締め付け感などを生ずることもあるという問題があった。
【０００５】
そこで、本発明は、この問題を解決するために、身体に密着する衣料において、腹部にかかる緊迫力と、ヒップなどの腹部以外の箇所にかかる緊迫力とを連動させることにより、相乗的に体型補正機能を向上させた衣料を提供することを目的とする。
【０００６】
【課題を解決するための手段】
上記の目的を達成するために、本発明にかかる衣料は、
（１）ジャカード編からなる地編が非弾性糸で編まれた経編地からなり、腹部布と、前記腹部布にそれぞれ接続される左右の身頃布とを有する衣料において、
前記非弾性糸による地編の表側にあらわれる編組織を緊迫力の強弱の要求に応じて切り替えることにより、前記腹部布および身頃布のそれぞれに、緊迫力の比較的強い部分と緊迫力の比較的弱い部分がパターン状に設けられ、
腹部布の少なくとも中央部が前記緊迫力の比較的強い部分からなり、
前記腹部布における緊迫力の比較的強い部分の下部両側の少なくとも一部が、前記身頃布における緊迫力の比較的強い部分に連結されていることを特徴とする、身体に密着する衣料である。
【０００７】
【発明の実施の形態】
本発明の衣料においては、腹部布における緊迫力の比較的強い部分の下部両側の少なくとも一部が、左身頃布および右身頃布における緊迫力の比較的強い部分に連結されている。このように、腹部布と左右身頃布との緊迫力の比較的強い部分が互いに連結されたことにより、腹部布の緊迫力の比較的強い部分に対して、この部分を少なくとも左右両側の２方向に引っ張る力が働き、着用者の腹部を適度に押さえる効果が得られる。すなわち、従来のように、腹部当て布などによって局所的に腹部を押さえるのではなく、腹部布における緊迫力の比較的強い部分を、身頃布の緊迫力の比較的強い部分と連結させることによって、相乗的な体型補正効果を得ることが可能となる。
【０００８】
（２）前記（１）項に記載の衣料においては、前記緊迫力の比較的強い部分が伸縮性を有することが好ましい。
【０００９】
（３）前記（１）または（２）項に記載の衣料においては、腹部布において、前記緊迫力の比較的強い部分からなる領域が略工字状であることが好ましい。
【００１０】
（４）前記（１）または（２）項に記載の衣料においては、腹部布において、前記緊迫力の比較的強い部分からなる領域が略人字状であることが好ましい。
【００１１】
（５）前記（１）または（２）項に記載の衣料においては、腹部布において、前記緊迫力の比較的強い部分からなる領域が略Ｘ字状であることが好ましい。
【００１２】
（６）前記（１）〜（５）項のいずれかに記載の衣料においては、前記身頃布において、ヒップ部の膨らみの下に沿って腰部脇まで至る連続パターン状に前記緊迫力の比較的強い部分が形成されると共に、前記連続パターンにおける腰部脇から腹部下部に沿って、前記腹部布における緊迫力の比較的強い部分の下部両側まで至る連続パターン状に、前記緊迫力の比較的強い部分が形成されたことが好ましい。
【００１３】
（７）前記（１）〜（５）項のいずれかに記載の衣料においては、前記衣料が前記身頃布から連続する脚部を有し、前記身頃布において、ヒップ部の膨らみの下に沿って腰部脇まで至る連続パターン状に前記緊迫力の比較的強い部分が形成されると共に、前記連続パターンにおける腰部脇から腹部下部に沿って、前記腹部布における緊迫力の比較的強い部分の下部両側を通って、前記脚部の大腿部内側まで至る連続パターン状に、前記緊迫力の比較的強い部分が形成されたことが好ましい。
【００１４】
（８）前記（１）〜（７）項のいずれかに記載の衣料においては、前記腹部布における緊迫力の比較的強い部分の下部両側が、その幅の１／３以上において前記身頃布における緊迫力の比較的強い部分に連結されていることが好ましい。
【００１５】
（９）前記（１）〜（８）項のいずれかに記載の衣料においては、前記経編地に弾性糸が挿入され、緊迫力の強弱の要求に応じて、前記弾性糸の挿入本数及び／又は太さを変化させてなる領域を有することが好ましい。
【００１６】
（１０）前記（９）項に記載の衣料においては、前記非弾性糸による地編の表側にあらわれる編組織の切り替えによる緊迫力の比較的強い部分と、前記弾性糸の変化による緊迫力の比較的強い領域とが、当該弾性糸の変化による緊迫力の比較的強い領域の幅の１／３以上において重なっていることが好ましい。
【００１７】
（１１）前記（１）〜（１０）項のいずれかに記載の衣料においては、前記身頃布における裾部が、糸抜きにより端部始末不要に形成されたことが好ましい。
【００１８】
（１２）前記（１）〜（１０）項のいずれかに記載の衣料においては、前記腹部布および身頃布の少なくとも一方として、裁断されたままで端部始末不要な布を、その裁断端部が衣料の裾部およびウェスト部の少なくとも一方の端部となるように用いたことが好ましい。
【００１９】
（１３）前記（１）〜（１２）項のいずれかに記載の衣料においては、前記腹部布および身頃布の少なくとも一方が、シングルラッセルジャカード編地から形成されたことが好ましい。
【００２０】
（１４）前記（１）〜（１２）項のいずれかに記載の衣料においては、前記腹部布および身頃布の少なくとも一方が、弾性糸および非弾性糸の少なくとも一方が閉じ目の１×１トリコット組織の編地から形成されたことが好ましい。
【００２１】
（１５）前記（１）〜（１４）項のいずれかに記載の衣料においては、衣料が、ガードル、ショーツ、ボディスーツ、水着、レオタード、スパッツ、スポーツ用タイツから選ばれた衣料であることが好ましい。
【００２２】
なお、本発明の衣料は身体に密着させて着用するものであるが、「身体に密着する」とは、必ずしも素肌に直接触れる状態で着用することを意味するものではない。従って、本発明の「身体に密着する衣料」とは、適宜のアンダーウェア類を介して着用される衣料を含む。
【００２３】
ここで、本発明にかかる衣料の具体例について、図面を参照しながら説明するが、本発明は、これらの衣料のみに限定されるものではなく、ガードル、ショーツ、ボディスーツ、水着、レオタード、スパッツ、スポーツ用タイツなどの衣料に適用し得る。
【００２４】
まず、本発明の一具体例として、図１および図２に、脚部を有するロングタイプのガードル（以下、ロングガードルと称する）の一例を示す。さらに、本発明の他の具体例として、図３および図４に、脚部を有しないショートタイプのガードル（以下、ショートガードルと称する）の一例を示す。
【００２５】
まず、本実施形態にかかるロングガードルの概略構成について説明する。図１に示すように、本実施形態にかかるロングガードルは、主として、着用者の腹部に当接する略逆三角形状の腹部布（フロントパネルとも称する）１１と、着用者の左半身の腰部、ヒップ部、大腿部を覆う左身頃布１２と、着用者の右半身の腰部、ヒップ部、大腿部を覆う右身頃布１３と、クロッチ布１４とによって構成されている。なお、図１に示す例では、左右身頃布１２，１３の脚部の裾は、糸抜きにより端始末不要な端部から形成されている。
【００２６】
腹部布１１、左身頃布１２、および右身頃布１３は、シングルラッシェルジャカード編地からなる編組織で構成され、地編の表側にあらわれる編み組織を変化させたジャカード柄によって、緊迫力の比較的強い部分と緊迫力の比較的弱い部分をパターン状に有する。図１および図２において、ドットパターンを付した領域が緊迫力の比較的強い部分であり、ドットパターンが付されていない領域が緊迫力の比較的弱い部分である。
【００２７】
すなわち、図１および図２に示したロングガードルでは、腹部布１１においては、腹部布１１の中央部を中心とした略Ｘ字状部分１１ａが緊迫力の比較的強い部分として形成される。一方、腹部布１１において、クロッチ布１４側の端部１１ｂ、腹部布１１の中央部の両脇の部分１１ｃおよび１１ｄ、腹部布１１において着用者のウェスト部の前正面近傍となる部分１１ｅは、緊迫力の比較的弱い部分として形成される。
【００２８】
また、左身頃布１２および右身頃布１３においては、図２に示すように、ヒップ部の膨らみの下に沿って腰部脇からウェストラインまで至り、かつ、図１に示すように、前記腰部脇から腹部下部に沿って、腹部布１１における略Ｘ字状部分１１ａの下部両側に連結し、さらに、脚部の大腿部内側から裾ラインまで延びるような連続パターンとして、緊迫力の比較的強い部分１２ａおよび１３ａがそれぞれ形成される。そして、これ以外の部分、すなわち、脚部の大腿部外側を覆う部分１２ｂ，１３ｂ、腹部布１１の両側上部１２ｃ，１３ｃ、ヒップ部上部（ヒップのふくらみ部分から腰部までの部分）１２ｄ，１３ｄは、緊迫力の比較的弱い部分として形成される。
【００２９】
また、図２に示すように、緊迫力の比較的弱い部分であるヒップ部上部１２ｄ，１３ｄ内でヒップ部の頂点に当接する領域（最も伸びを要する領域）に、美観を生じるデザイン性を有する形状（例えば図２に示すハート形の他、星形、チューリップ形など）で、緊迫力がさらに弱い部分１２ｅおよび１３ｅを形成すると、ヒップの丸みを押しつぶすことなくヒップラインを美しく整えつつ、衣料のデザイン性が向上する点で好ましい。ただし、このヒップ部頂点における緊迫力のさらに弱い部分１２ｅおよび１３ｅは必須ではない。また、デザイン性も必須ではないので、緊迫力のさらに弱い部分１２ｅおよび１３ｅを、円形または楕円形のような特にデザイン性のない形状としても良い。
【００３０】
腹部布１１における緊迫力の比較的強い部分の形状は、図１に示した略Ｘ字状の他、図３に示すような略「工」字状（または略「Ｉ」字状）、図４に示すような略「人」字状（または略逆「Ｙ」字状）であっても良い。腹部布１１における緊迫力の比較的強い部分の形状に関して図１、図３、図４の具体例を互いに比較すると、図１または図４に示す具体例は、ウェスト部の前正面近傍またはウェスト部の前正面両側となる部分に緊迫力が比較的弱い部分が形成されているので、腹部を押さえるという体型補正効果は図３の具体例よりもやや劣ると言える。その反面、着用者が例えば前屈みになったりしゃがんだりした場合にウェスト部の前側の圧迫感（締め付け感）が小さいという点では、図１または図４に示す具体例の方が、図３に示す具体例よりも優れていると言える。従って、体型補正効果と着用時の快適さとのどちらを重視するかによって、腹部布１１における緊迫力の比較的強い部分の形状を適宜選択すれば良い。
【００３１】
また、図５に示すように、腹部布１１において、左身頃布１２および右身頃布１３をそれぞれ接続する辺を直線ではなく曲線としても良い。なお、図５では、緊迫力の比較的強い部分の形状を略Ｘ字状としたが、図３または図４に示すような略「工」字状または略「人」字状としても良い。
【００３２】
本実施形態のロングガードルでは、図１に示すように、腹部布１１における緊迫力の比較的強い部分１１ａの下部両側の少なくとも一部が、左身頃布１２および右身頃布１３における緊迫力の比較的強い部分１２ａおよび１３ａに連結するように、腹部布１１と左右身頃布１２，１３が縫合されている。このように、腹部布１１と左右身頃布１２，１３との緊迫力の比較的強い部分が連結されたことにより、腹部布１１の緊迫力の比較的強い部分に対して、この部分を左右両側と下側（大腿部内側下方向）との３方向に引っ張る力が働き、着用者の腹部を適度に押さえる効果が得られる。すなわち、従来のように、腹部当て布などによって局所的に腹部を押さえるのではなく、腹部布における緊迫力の比較的強い部分を、身頃布の緊迫力の比較的強い部分と連結させることによって、相乗的な体型補正効果を得ることが可能となる。
【００３３】
腹部布１１の緊迫力の強い領域は、緊迫力の比較的強い領域１２ａ，１３ａによって、下腹部脇からウェストに向かう方向、下腹部脇からヒップに向かう方向、下腹部脇から大腿部内側を通り裾に向かう方向の、３方向に引っ張られ、腹部布１１の緊迫力の強い領域にテンションがかかり、腹部（特に下腹部）を押さえることができる。また、腹部布１１の緊迫力の強い箇所と、腰部、脚部における緊迫力の強い箇所が連接することによって、双方にテンションがかかり、双方の緊迫力の効果を高めることができる。よって、ヒップ下部や大腿部内側にも、より強い緊迫力がかかり、ヒップアップ効果および大腿部内側をすっきりさせる効果が高まる。
【００３４】
なお、腹部布１１における緊迫力の比較的強い部分１１ａの下部両側が、その幅の１／３以上において左右身頃布１２，１３における緊迫力の比較的強い部分１２ａ，１３ａに連結されていることが好ましい。すなわち、図１に示すように、腹部布１１における緊迫力の比較的強い部分１１ａの下部両側の幅をＷ０、この緊迫力の比較的強い部分１１ａと左右身頃布１２，１３における緊迫力の比較的強い部分１２ａ，１３ａとの連結部分の幅をＷ１とすると、
Ｗ１／Ｗ０≧１／３
であることが好ましい。なお、Ｗ１／Ｗ０の値は大きい方が好ましく、１／２以上であることがさらに好ましい。なお、Ｗ１／Ｗ０が１となるように、すなわち、腹部布１１における緊迫力の比較的強い部分１１ａの下部両側が、その全幅にわたって、左右身頃布１２，１３における緊迫力の比較的強い部分１２ａ，１３ａに連結された構成としても良い。
【００３５】
図６は、図１に示した具体例にかかる腹部布１１の裁断図である。図中の実線Ｌ１が腹部布１１の裁断ラインである。なお、図６に示す矢印Ｓは、糸の供給方向を示す。図６において、腹部布１１における緊迫力の比較的強い部分１１ａとなる領域は、緊迫力を強くするために、２針または３針以上の振りを１繰り返し単位内に所定の割合で入れたサテン調ネット組織として編まれる。なお、この緊迫力の比較的強い部分１１ａとなる領域は、横方向への伸びが少なく、縦方向にはある程度伸びるように編まれることが好ましい。
【００３６】
腹部布１１の糸の重量混率は、ナイロン糸８３．５％、ポリウレタン糸１６．５％である。ナイロン糸は３０デニール、ポリウレタン糸は２８０デニールを使用する。腹部布１１は、ヒップから脇に充当する左右身頃布１２，１３に比べて太いポリウレタン糸を使用し、かつポリウレタン糸の混率が高いことにより、緊迫力がより強くなっている。なお、左右身頃布１２，１３の糸の重量混率は、ナイロン糸７６．１％、ポリウレタン糸２３．９％であり、ナイロン糸は３０デニール、ポリウレタン糸は２７０デニール、２４０デニール、１８０デニールを使用する。また、腹部布１１における緊迫力の強い領域を振りの大きいサテン調ネット組織としていることから、緊迫力が強く、かつ、編み方向に対する垂直方向（衣料横方向）の伸びが少なくなる。尚、ラッセル生地の場合、編み方向には伸びやすい特性があるので、この生地を、生地の編み方向とは垂直方向（横方向）を、衣料腹部に横方向に使用することにより、横方向への伸びが少なく、縦方向にはある程度伸びる状態となる。
【００３７】
一方、腹部布１１における緊迫力の比較的弱い部分１１ｂ，１１ｃ，１１ｄ，１１ｅとなる領域は、メッシュ調ネット組織として編まれる。なお、サテン調ネット組織およびメッシュ調ネット組織を混在させた編組織が、例えばジャカード制御装置を有する経編機などを用いて、この経編機のコンピュータに各ウェールと各コースの編み方に関する指令を入力することによって実現できることは、当業者にとっては周知の事項である（前述の特許文献１にも詳しい説明が開示されているので必要であれば参照されたい）。また、細幅の連続パターン部分の緊迫力は、特許文献１にも開示されているように、針の振り量及び／または１繰り返し単位内に針の振りを入れる割合を調整することにより、所望の強さに調整できる。さらに、ジャカード制御装置を有する経編機のコンピュータに各ウェールと各コースの編み方に関する指令を入力することによって、花模様や幾何学模様等のデザイン性のある模様を同時に形成することも可能である。
【００３８】
図７は、右身頃布１３の裁断図である。図中の実線Ｌ２が右身頃布１３の裁断ラインである。図７においても、矢印Ｓで示す方向が糸の供給方向である。図７において、右身頃布１３における緊迫力の比較的強い部分１３ａとなる領域は、緊迫力を他の部分よりも強くするために、３針以上の振りを１繰り返し単位内に所定の割合で入れたサテン調ネット組織（強サテン調ネット組織）として編まれる。また、右身頃布１３における緊迫力の比較的弱い部分１３ｂ，１３ｃ，１３ｄとなる領域は、緊迫力を領域１３ａより弱くするために、２針の振りを１繰り返し単位内に所定の割合で入れたサテン調ネット組織（中サテン調ネット組織）として編まれる。さらに、右身頃布１３における緊迫力のさらに弱い部分１３ｅとなる領域は、緊迫力を領域１３ｂ，１３ｃ，１３ｄよりも弱くするために、１針の振りを１繰り返し単位内に所定の割合で入れたサテン調ネット組織（弱サテン調ネット組織）として編まれる。なお、強サテン調ネット組織、中サテン調ネット組織、弱サテン調ネット組織のそれぞれを形成するための編針の振りの数は、上記の具体例に限定されず、各部分において緊迫力の強弱差を付けることができれば、任意の振り数とすることができる。なお、緊迫力に強弱差を付けることができれば、編み組織は上記に限定されない。
【００３９】
なお、通気性を向上させるために、ウェスト部背面中央部近傍に相当する部分１３ｆおよびヒップ下部中央に相当する部分１３ｇを、メッシュ組織で編むことも好ましい。ただし、本発明においてはこのメッシュ組織は必須ではない。
【００４０】
左身頃布１２は、図７に示した裁断図を左右線対象とした裁断図によって得ることができるため、その説明は省略する。
【００４１】
図７に示す裁断ラインＬ２で裁断された右身頃布１３のＡ−Ｃ部分は、図６に示す腹部布１１のＡ’−Ｃ’部分と縫合される。このとき、右身頃布１３のＢ点と腹部布１１のＢ’点とが一致する。右身頃布１３のＣ−Ｄ部分およびＨ−Ｇ部分は、クロッチ布１４と縫合される。右身頃布１３のＤ−Ｅ部分は、同じく右身頃布１３のＧ−Ｆ部分と縫合されることにより、脚部を形成する。右身頃布１３のＩ−Ｈ部分は、左身頃布１２におけるこの部分の対称部分と縫合されて後中心の縫合ラインを形成することになる。
【００４２】
なお、地編を構成する非弾性糸としては、ナイロン糸、ポリエステル糸などの合成繊維糸、レーヨン糸、アセテート糸、キュプラ糸などの再生繊維糸、木綿糸、絹糸、麻糸、ウール糸などの天然繊維などを用いることができるが、ナイロン糸が特に好ましく、太さとしてはナイロン糸で２０〜８０デニールに相当する太さの糸が好ましく用いられる。
【００４３】
なお、ジャカード柄による緊迫力の強弱切り替えに加えて、図８および図９に示すように、弾性糸を適宜挿入することにより、さらに部分的に緊迫力を異ならせるようにしても良い。例えば、図８および図９に示す実施例では、腹部およびヒップ部に相当する領域Ｒ１に、地編に例えば４０デニールのナイロン糸を用い、挿入糸として１８０デニールのポリウレタン糸を１本用いる。そして、脚部を４つの領域（上から順にＲ２〜Ｒ５）に分け、領域Ｒ２には２４０デニールのポリウレタン糸を２本、領域Ｒ３には２７０デニールのポリウレタン糸を１本、領域Ｒ４には２４０デニールのポリウレタン糸を２本、領域Ｒ５には２７０デニールのポリウレタン糸を２本ずつ挿入する。なお、領域Ｒ２〜Ｒ５の地編には４０デニールのナイロン糸を共通して用いればよい。
【００４４】
弾性糸により緊迫力が比較的強く形成された直線状領域は、２４０デニールのポリウレタン糸が２本挿入されたヒップ下部及び下腹部脇領域、そして２４０デニールのポリウレタン糸が２本挿入された裾上部領域、２７０デニールのポリウレタン糸が２本挿入された裾領域である。ヒップ下部および、下腹部脇箇所に当接するジャカード編み組織により緊迫力を強くした領域１２ａ，１３ａと、２４０デニールのポリウレタン糸を２本挿入し、弾性糸により緊迫力を強くした領域は、特に緊迫力の必要なヒップ下部および腹部脇箇所において、弾性糸によって緊迫力を強くした領域の上下幅方向全域が重なり、緊迫力のより強い領域を形成している。
【００４５】
ただし、ここで述べた弾性糸および非弾性糸の太さおよび本数はあくまでも一例であって、挿入する弾性糸の太さおよび本数の少なくとも一方を任意に変化させることによって、局所的な緊迫力を所望の程度に調整すれば良い。なお、図９に、弾性糸の切り替えによって緊迫力を変化させた領域の範囲例を示したが、弾性糸の切り替えによって緊迫力を変化させる領域の数および範囲は、この例に限定されるものではない。
【００４６】
次に、本発明の他の具体例として、図１０および図１１に示すショートガードルについて説明する。
【００４７】
図１０に示すように、本実施形態にかかるショートガードルは、主として、着用者の腹部に当接する略逆三角形状の腹部布２１と、着用者の左半身の腰部およびヒップ部を覆う左身頃布２２と、着用者の右半身の腰部およびヒップ部を覆う右身頃布２３と、クロッチ布２４とによって構成されている。なお、図１０に示す例でも、左右身頃布２２，２３の裾は、糸抜きにより端始末不要な端部から形成されている。
【００４８】
腹部布２１、左身頃布２２、および右身頃布２３は、シングルラッシェルジャカード編地からなる編組織で構成され、地編の表側にあらわれる編み組織を変化させたジャカード柄によって、緊迫力の比較的強い部分と緊迫力の比較的弱い部分をパターン状に有する。図１０および図１１において、ドットパターンを付した領域が緊迫力の比較的強い部分であり、ドットパターンが付されていない領域が緊迫力の比較的弱い部分である。
【００４９】
すなわち、図１０および図１１に示したショートガードルでは、腹部布２１においては、腹部布２１の中央部を中心とした略Ｘ字状部分２１ａが緊迫力の比較的強い部分として形成される。一方、腹部布２１において、クロッチ布２４側の端部２１ｂ、腹部布２１の中央部の両脇の部分２１ｃおよび２１ｄ、腹部布２１において着用者のウェスト部の前正面近傍となる部分２１ｅは、緊迫力の比較的弱い部分として形成される。
【００５０】
また、左身頃布２２および右身頃布２３においては、図１１に示すように、ヒップ部の膨らみの下に沿って腰部脇まで至り、かつ、図１０に示すように、前記腰部脇から腹部下部に沿って、腹部布２１における略Ｘ字状部分２１ａの下部両側に連結する連続パターンとして、緊迫力の比較的強い部分２２ａおよび２３ａがそれぞれ形成される。そして、これ以外の部分、すなわち、腹部布２１の両側上部２２ｂ，２３ｂ、ヒップ部上部（ヒップのふくらみ部分から腰部までの部分）２２ｃ，２３ｃは、緊迫力の比較的弱い部分として形成される。
【００５１】
また、図１１に示すように、緊迫力の比較的弱い部分であるヒップ部上部２２ｃ，２３ｃ内でヒップ部の頂点に当接する領域（最も伸びを要する領域）に、美観を生じるデザイン性を有する形状（例えば図２に示すハート形の他、星形、チューリップ形など）で、緊迫力がさらに弱い部分２２ｄおよび２３ｄを形成すると、ヒップの丸みを押しつぶすことなくヒップラインを美しく整えつつ、衣料のデザイン性が向上する点で好ましい。ただし、このヒップ部頂点における緊迫力のさらに弱い部分２２ｄおよび２３ｄは必須ではない。また、デザイン性も必須ではないので、緊迫力のさらに弱い部分２２ｄおよび２３ｄを、円形または楕円形のような特にデザイン性のない形状としても良い。
【００５２】
腹部布１１における緊迫力の比較的強い部分の形状は、ロングガードルの場合と同様に、図１０に示した略Ｘ字状の他、図３に示すような略「工」字状（または略「Ｉ」字状）、図４に示すような略「人」字状（または略逆「Ｙ」字状）であっても良い。
【００５３】
本実施形態のショートガードルでも、図１０に示すように、腹部布２１における緊迫力の比較的強い部分２１ａの下部両側の少なくとも一部が、左身頃布２２および右身頃布２３における緊迫力の比較的強い部分２２ａおよび２３ａに連結するように、腹部布２１と左右身頃布２２，２３が縫合されている。このように、腹部布２１と左右身頃布２２，２３との緊迫力の比較的強い部分が連結されたことにより、腹部布２１の緊迫力の比較的強い部分２１ａに対して、この部分を左右両側の２方向に引っ張る力が働き、着用者の腹部を適度に押さえる効果が得られる。すなわち、従来のように、腹部当て布などによって局所的に腹部を押さえるのではなく、腹部布における緊迫力の比較的強い部分を、身頃布の緊迫力の比較的強い部分と連結させることによって、相乗的な体型補正効果を得ることが可能となる。
【００５４】
なお、このショートガードルの場合も、ロングガードルの場合と同様に、腹部布２１における緊迫力の比較的強い部分２１ａの下部両側が、その幅の１／３以上、より好ましくは１／２以上、あるいはその全幅にわたって、左右身頃布２２，２３における緊迫力の比較的強い部分２２ａ，２３ａに連結されていることが好ましい。
【００５５】
腹部布２１の裁断図については、ロングガードルの腹部布１１と同様であるため、説明を省略する。
【００５６】
図１２は、右身頃布２３の裁断図である。図中の実線Ｌ３が右身頃布２３の裁断ラインである。図１２においても矢印Ｓで示す方向が糸の供給方向である。図１２において、右身頃布２３における緊迫力の比較的強い部分２３ａとなる領域は、緊迫力を他の部分よりも強くするために、３針以上の振りを１繰り返し単位内に所定の割合で入れたサテン調ネット組織（強サテン調ネット組織）として編まれる。また、右身頃布２３における緊迫力の比較的弱い部分２３ｂ，２３ｃとなる領域は、緊迫力を領域２３ａより弱くするために、２針の振りを１繰り返し単位内に所定の割合で入れたサテン調ネット組織（中サテン調ネット組織）として編まれる。さらに、右身頃布２３における緊迫力のさらに弱い部分２３ｄとなる領域は、緊迫力を領域２３ｂ，２３ｃよりさらに弱くするために、１針の振りを１繰り返し単位内に所定の割合で入れたサテン調ネット組織（弱サテン調ネット組織）として編まれる。なお、強サテン調ネット組織、中サテン調ネット組織、弱サテン調ネット組織のそれぞれを形成するための編針の振りの数は、上記の具体例に限定されず、各部分において緊迫力の強弱差を付けることができれば、任意の振り数とすることができる。なお、緊迫力に強弱差を付けることができる編み組織であれば、上記に限定されない。
【００５７】
なお、通気性を向上させるために、ウェスト部背面中央部近傍に相当する部分２３ｅおよびヒップ下部中央に相当する部分２３ｆを、メッシュ組織で編むことも好ましい。ただし、本発明においてはこのメッシュ組織は必須ではない。
【００５８】
左身頃布２２は、図１２に示した裁断図を左右線対象とした裁断図によって得ることができるため、その説明は省略する。
【００５９】
図１２に示す裁断ラインＬ３で裁断された右身頃布２３のＪ−Ｋ部分は、腹部布２１と縫合される。右身頃布２３のＫ−Ｌ部分およびＮ−Ｍ部分は、クロッチ布２４と縫合される。右身頃布２３のＯ−Ｎ部分は、左身頃布２２におけるこの部分の対称部分と縫合されて後中心の縫合ラインを形成することになる。
【００６０】
なお、このショートガードルにおいても、ロングガードルの具体例について前述したように、ジャカード柄による緊迫力の強弱切り替えに加えて、弾性糸を適宜挿入することにより、図１３に示すようにさらに部分的に緊迫力を異ならせるようにしても良い。
【００６１】
例えば、図１３に示すように、腹部およびヒップ部に相当する領域Ｒ６に、地編に例えば４０デニールのナイロン糸を用い、挿入糸として例えば１８０デニールのポリウレタン糸を１本用いる。そして、裾部分を２つの領域（上から順にＲ７，Ｒ８）に分け、領域Ｒ７には例えば１８０デニールのポリウレタン糸を２本、領域Ｒ８には例えば２４０デニールのポリウレタン糸を２本ずつ挿入する。なお、領域Ｒ７，Ｒ８の地編には例えば４０デニールのナイロン糸を共通して用いればよい。ヒップ下部において、ジャカード編組織により緊迫力を強くした領域と、弾性糸により緊迫力を強くした領域の上下幅方向全域が重なり、緊迫力のより強い領域が形成されている。ただし、ここで述べた弾性糸および非弾性糸の太さおよび本数はあくまでも一例であって、挿入する弾性糸の太さおよび本数の少なくとも一方を任意に変化させることによって、局所的な緊迫力を所望の程度に調整すれば良い。なお、図１３に、弾性糸の切り替えによって緊迫力を変化させた領域の範囲例を示したが、弾性糸の切り替えによって緊迫力を変化させる領域の数および範囲は、この例に限定されるものではない。
【００６２】
そして、弾性糸により部分的に伸縮パワーの強い領域など、伸縮パワーの変化している領域を設けるには、（ａ）編み込む弾性糸の太さが異なる複数の領域を形成する方式、（ｂ）編み込む弾性糸の本数が異なる複数の領域を形成する方式、（ｃ）前記（ａ）又は（ｂ）の各領域の幅を変化させる方式、（ｄ）前記（ａ）、（ｂ）、（ｃ）の方式の少なくとも２つ以上を組み合わせた方式のいずれかの方式により弾性糸による伸縮パワーの強い領域と前記領域より伸縮パワーの弱い領域を形成することができる。
【００６３】
例えば、前記経編地に編み込まれる弾性糸のうち、伸縮パワーの強い領域には他の部分よりも繊度の大きな弾性糸を編糸に用いたり、又は、同じウェールに編み込む弾性糸の本数を多くしたりすることにより、上記のように弾性糸により締付パワーを強化した領域が一体に編成された伸縮性経編地とすることができる。
【００６４】
この際、前記経編地全体に編み込まれている弾性糸を繊度の比較的小さい弾性糸とし、伸縮パワーを強めたい領域には、繊度の大きい弾性糸を更に編み込んで、伸縮パワーの強い領域とすることもできる。
【００６５】
また、前述の様な伸縮パワーの強い領域の幅を細幅にした領域と伸縮パワーの弱い領域の幅を広幅にした領域を交互に設け、一方、伸縮パワーの強い領域の幅を広幅にした領域と伸縮パワーの弱い領域の幅を細幅にした領域とを交互に設けるなど、伸縮パワーの異なる領域の幅を調整することによって全体的に伸縮パワーの強弱を調整することも可能である。
【００６６】
なお、弾性糸による伸縮パワーの強弱のグレードを３段階以上にしてもよく、その場合には、上述した弾性糸による伸縮パワーを変化させる手法を３段階以上になるように調整すればよい。
【００６７】
なお、本発明にかかる衣料においては、両脚部の裾口部分およびウェスト部の少なくとも一方は、折り返して縫製するなどの端始末を必要としない縁とすることが好ましい。この様な端始末を必要としない縁は、いわゆる糸抜きにより作ることも可能であるが、以下に別の具体例として詳述するように、裁断されたままで端部始末不要な布を用いることによって実現することもできる。なお、「糸抜き」については当業者に周知であるので説明を省略する。
【００６８】
ここで、本発明にかかる衣料のさらに他の具体例について説明する。本発明にかかる衣料においては、左右身頃布１２，１３として、裁断されたままで端部始末不要な布からなる部片（Ｐ）を、その裁断端部が脚部の裾口部分およびウェスト部の少なくとも一方の端部となるように用いることも好ましい。また、図１４に示すように、裾口部分およびウェスト部の少なくとも一方の端部が（図１４の例では裾口部分のみ）、波形状に裁断されていることがさらに好ましい。図１４に示すロングガードルの後側からみた斜視図は、裾口部分の形状が波形状である点と、ヒップのふくらみ部にはハート形の部位がない点を除いては、図２と同様であるため、省略する。
【００６９】
図１４において、ヒップ〜脚部に当接する身頃布１２，１３は、裁断したままで端部始末不要な布からなり、腹部脇からウェストに当接する１２ｃ，１３ｃ、ヒップの膨らみからウェストに当接する１２ｄ，１３ｄ、大腿部から裾に当接する１２ｂ，１３ｂの領域は、第２の非弾性糸と弾性糸とを同行させた１×１トリコット組織で、第２の非弾性糸と弾性糸とが共に閉じ目からなる編み組織からなる。腹部脇、ヒップ下部、ヒップ脇、大腿部内側に当接する１２ａ，１３ａの領域は、第２の非弾性糸と弾性糸とを逆行させた１×１トリコット組織で、第２の非弾性糸と弾性糸とが共に閉じ目からなる編み組織からなる。裾ラインは、３６ｃｍであり、１２ａが裾ラインを形成しているのは５ｃｍであり、裾ライン長さの１４％である。左身頃布１２あるいは右身頃布１３のウェストラインは２０ｃｍであり、１２ａがウェストラインを形成しているのは４ｃｍであり、ウェストライン長さの２０％である。つまり、裾ライン長さ、ウェストラインの２／３以上は、第２の非弾性糸と弾性糸を同行させた１×１トリコット組織で、第２の非弾性糸と弾性糸とが共に閉じ目からなる編み組織の領域から形成されている。腹部布１１は、図６と同じ布を使用しており、ウェストラインには端部始末がなされている。
【００７０】
なお、図１４には、ロングガードルの具体例のみを図示したが、この他にも、ショートガードルの裾口部分またはウェスト部、ボディスーツの裾口部分などが、端部始末不要な布からなる部片（Ｐ）の裁断端部になるように構成し得ることは言うまでもない。また、図１４では、裾口部分の形状を波形状としたが、波形状以外の曲線であっても良い。
【００７１】
このように、この具体例にかかる衣料（１）においては、裾口部分およびウェスト部の少なくとも一方に用いる部片（Ｐ）は、第１の非弾性糸と、地編組織を形成する第２の非弾性糸及び弾性糸とから編成され、前記地編組織が前記第２の非弾性糸と前記弾性糸とを同行させた１×１のトリコット組織であって且つ各編針において第２の非弾性糸と弾性糸のうちの少なくとも１方が閉じ目により編成されており、裁断されたままの状態で縁始末不要な縁の２／３以上の長さの部分は、第１の非弾性糸も前記地編の第２の非弾性糸と弾性糸とともに同行した１×１のトリコット組織（Ｓ）から成る。これにより、編み方向にとらわれずに、比較的自由な方向に、あるいは、比較的自由な形状に衣料の縁となる部分を、裁断により形成できる。
【００７２】
しかも、前記部片（Ｐ）中には、第１の非弾性糸による編み組織が異なる部分を有しており、所望の位置に所望の形状の第１の非弾性糸による編み組織を異ならしめた領域を設けることにより、伸縮パワーまたは伸縮方向などを適宜変化させた領域を形成でき、適宜の位置に適宜の体形補整機能あるいはフィット性向上などの機能を加味した衣料を提供することができる。しかも、衣料の当該縁の部分が厚くならず、衣料の当該縁の部分が外衣に反映して凹凸となって現れることがなく、本衣料の着用者の外観を良好に保つことができるなどの縁始末不要な縁を有する衣料の利点を発揮できる。
【００７３】
すなわち、図１４に示す具体例においては、第１の非弾性糸による編み組織を異ならせることにより、腹部布１１および左右身頃布１２，１３において、緊迫力の比較的強い部分と弱い部分とをパターン状に形成することができる。
【００７４】
（２）前記（１）に記載の衣料においては、裁断されたままの状態で縁始末不要な縁の長さの全部が、第１の非弾性糸も前記地編の第２の非弾性糸と弾性糸とともに同行した１×１のトリコット組織（Ｓ）から成る部分であることが好ましい。
【００７５】
（３）また、前記（１）または（２）に記載の衣料においては、前記部片（Ｐ）中の（Ｓ）から成る領域以外の領域（Ｈ）が、下記（Ｈ１）または（Ｈ３）から選ばれた少なくとも１つであることが好ましい。
【００７６】
（Ｈ１）第１の非弾性糸による編み組織が、ハーフ編みである領域
（Ｈ３）第１の非弾性糸による編み組織が、シンカーループの方向が前記地編組織のシンカーループの方向と逆向きの１×１のトリコットである領域
（４）また、前記（３）に記載の衣料においては、裁断されたままの状態で縁始末不要な縁の長さの２／３より小さい範囲が、（Ｈ３）から成る部分であることが好ましい。
【００７７】
（５）また、前記（３）に記載の衣料においては、部片（Ｐ）として、伸縮パワーを比較的弱くしたい領域に（Ｓ）からなる領域を配置し、伸縮パワーを比較的強めたい領域に（Ｈ）からなる領域を配置した部片（Ｐ）を用いることが好ましい。
【００７８】
（６）また、前記（１）〜（５）のいずれかに記載の衣料においては、前記部片（Ｐ）が、伸縮パワーの強弱の要求に応じて、用いる弾性糸の太さ、編み込み本数の少なくともいずれかを変えた弾性糸による伸縮パワーの異なる領域が更に形成されている部片（Ｐ）であることが好ましい。
【００７９】
かかる好ましい態様とすることにより、弾性糸による伸縮パワーの変化する領域の伸縮パワーの切り替えラインの方向と、縁始末不要な縁の方向とを、平行にせずに、それぞれのラインを必要に応じた好適な方向に自由に設計することができ、しかも非弾性糸による編み組織の変化する領域も合わせて有し、種々のグレードの伸縮パワーを有する領域あるいは伸縮方向などを特定の方向に制御した領域を比較的自由に設計でき、しかも裁断したままでほつれの生じない縁始末不要な縁を少なくとも一部に有する衣料を容易に提供でき好ましい。
【００８０】
（７）また、前記（１）〜（６）のいずれかに記載の衣料においては、前記部片（Ｐ）の地編みの、第２の非弾性糸が閉じ目により、弾性糸が開き目により編成されていることが好ましい。
【００８１】
（８）また、前記（１）〜（７）のいずれかに記載の衣料においては、前記部片（Ｐ）の地編みの、第２の非弾性糸と弾性糸のいずれもが、閉じ目により編成されていることが好ましい。
【００８２】
（９）また、前記（３）〜（８）のいずれかに記載の衣料においては、領域（Ｈ１）の第１の非弾性糸によるハーフ編みが、閉じ目により編成されているハーフ編みであることが好ましい。
【００８３】
（１０）また、前記（３）〜（９）のいずれかに記載の衣料においては、領域（Ｈ３）の第１の非弾性糸による編み組織が、シンカーループの方向が前記地編のシンカーループの方向と逆向きの閉じ目の１×１のトリコットであることが好ましい。
【００８４】
（１１）また、前記（３）〜（１０）に記載の衣料においては、緊迫力が比較的強い部分が、（Ｈ１）及び（Ｈ３）から選ばれた領域（Ｈ）からなる領域であることが好ましい。
【００８５】
（１２）また、前記（６）〜（１１）項のいずれかに記載の衣料においては、衣料が、ショーツ又はガードルであり、当該ショーツ又はガードルの裾部及びウェストライン部の少なくとも一方が裁断されたままの状態で縁始末不要な縁からなり、当該裾部及びウェストライン部の縁のラインの方向の少なくとも一方が、当該部片（Ｐ）の当該弾性糸により伸縮パワーが変化する領域の伸縮パワーの切り替えラインの方向と非平行であることが好ましい。
【００８６】
このように裁断されたままの状態でも、その裁ち端（裁断されたままの縁）が縁始末不要な縁とすることができ、且つ第１の非弾性糸による編み組織が異なる部分を有しているような経編地からなる部片（Ｐ）を説明するために、それぞれの領域を構成するに好ましく採用される編み組織の例について、説明する。
【００８７】
上記本発明で用いる部片（Ｐ）の経編地の編み組織を、図１５、図１６を用いて説明する。
【００８８】
図１５、図１６においては、いずれも矢印Ｒで示される方向が、編み方向（言い換えれば、糸の供給方向、ウェール方向、編地の縦方向）であり、それと直角の方向が経編地のコース方向（編地の横方向）になる。１００がジャカード筬Ｌ１に通糸されて編まれる第１の非弾性糸であり、図はその編み組織を示している。同様に１０１が地筬Ｌ２に通糸されて編まれる第２の非弾性糸であり、図はその編み組織を示している。１０２がもう一つの地筬Ｌ３に通糸されて編まれる弾性糸であり、図はその編み組織を示したものである。
【００８９】
図１５、図１６において共通しているのは、第２の非弾性糸１０１と弾性糸１０２からなる地編み組織であり、第２の非弾性糸と弾性糸とを同行させた１×１トリコットであって、かつ各編針において第２の非弾性糸と弾性糸のうちの少なくとも１方が閉じ目により編成されている。図１５、図１６、図１６において図示したものは、各編針において第２の非弾性糸が閉じ目により、弾性糸が開き目により編成されている例を示した。この様に地編みの編糸として非弾性糸と弾性糸とを用いて適度の伸縮性を付与している。地編みを１×１トリコットの編み組織とし、且つ、各編針において非弾性糸と弾性糸のうちの少なくとも１方を閉じ目により編成することにより、編目の安定、裁断されたままの縁のほつれの防止を達成し易くできる。１×１のトリコット編みとしては、ジャカードシングルラッセル編機やジャカードトリコット編機で編まれた１×１のトリコット編みであるが、ジャカードシングルラッセル編機で編まれた１×１のトリコット編みであることがテンションをかけやすく編み密度の高い編地とすることができ好ましい。
【００９０】
そして上記伸縮性経編地の地編み組織の態様のみ、別途、図１７、図１８、図１９に示した。図１７は、第２の非弾性糸１０１が閉じ目により、弾性糸１０２が開き目により編成されている地編組織（Ａ）、図１８は、第２の非弾性糸１０１と弾性糸１０２のいずれもが閉じ目により編成されている地編組織（Ｂ）、図示していないが地編組織（Ａ）とは逆の組み合わせ、即ち、第２の非弾性糸１０１が開き目により、弾性糸１０２が閉じ目により編成されている地編組織（Ｃ）、及び図１９に示した地編組織（Ｄ）のように、第２の非弾性糸１０１と弾性糸１０２とがともに開き目と閉じ目とを交互に、ただし、同じ編針において第２の非弾性糸１０１の開き目に対して弾性糸１０２は閉じ目、同様に第２の非弾性糸１０１の閉じ目に対して弾性糸１０２は開き目が組み合わされ編成されている伸縮性たて編地（Ｄ）が採用できる。上記のうち、地編組織（Ａ）が、伸縮パワーの強弱差が明確に発揮されやすいと言う観点から好ましい。また、地編組織（Ｂ）は、ウェール方向の編み密度を高密度にしやすく、裁断されたままの縁のほつれが特に少ないと言う点で優れている。地編組織（Ｃ）や地編組織（Ｄ）は、伸度の高い地編組織とすることができるが、伸縮パワーの強弱差が付与しにくくなる傾向になる。地編組織としては、本発明においては（Ａ）が最も好ましく、その次に好ましいのが（Ｂ）である。
【００９１】
図１５のジャカード筬Ｌ１に通糸されて編まれる第１の非弾性糸１００は、１０５で示したコースの部分が、第１の非弾性糸と前記地編の前記第２の非弾性糸と前記弾性糸とを同行させた１×１のトリコットであり、前記領域（Ｓ）を形成する際に適用される編み組織である。この組織は、特にほつれが生じにくいので、前記部片（Ｐ）の裁断されたままの状態で縁始末不要な縁の長さの２／３以上はこの組織で形成されていることが必要であり、好ましくは裁断されたままの状態で縁始末不要な縁の長さの全部がこの組織で形成されていることが好ましい。
【００９２】
上記編み組織において、第１の非弾性糸による１×１のトリコットは、閉じ目により編成されていることが、裁断されたままの縁のほつれがより一層生じにくくなり好ましい。
【００９３】
そして、第１の非弾性糸１００において１０６で示したコースの部分は、ハーフ編みであり、編地の伸縮パワーを比較的強めにしたり、あるいは伸縮方向を主として特定の方向に規制する領域（Ｈ）の一つとして用いられる。特に限定するものではないが、主として編地の横方向の伸縮方向を伸びにくくしたり、主として編地の横方向の伸縮パワーを強めた領域（Ｈ１）を形成しやすい傾向の編み組織である。尚、図１５に示した１０６のハーフ編みは、閉じ目とすることが、伸縮パワーを比較的強めたり伸縮方向を規制する機能をより発揮しやすくできるという観点から好ましい。ハーフ編みは、言い換えれば、１×１のトリコットに比べて横方向に一針多く振った組織であり、伸びが小さくなる傾向がある。このハーフ編みのシンカーループの方向は、地編組織のシンカーループの方向と同方向になる。即ち地編組織のシンカーループの方向が左下から右斜め上に向いている部分においては、ハーフ編みのシンカーループの方向も同様に左下から右斜め上に向き、地編組織のシンカーループの方向が右下から左斜め上に向いている部分においては、ハーフ編みのシンカーループの方向も同様に右下から左斜め上に向いている。
【００９４】
尚、ここで編地の横方向とか縦方向とかの基準として、経編地において縦方向とは、編地の編み方向（矢印Ｒで示される方向）、即ちウェール方向が縦方向であり、従って、ここで言う横方向とは、編地の編み方向と直角の方向、即ち、コース方向であり、完成された衣料の、縦方向、横方向とは無関係である点注意すべきである。仮にこの経編地の縦方向、すなわち編地の編み方向（矢印Ｒで示される方向）が衣料の横方向になるように使用した場合、その衣料においては、この経編地の縦方向は、衣料の横方向を向いていることになる。
【００９５】
次に図１６のジャカード筬Ｌ１に通糸されて編まれる第１の非弾性糸１００は、１０５で示したコースは、図１５の１０５で示したと同様に、前記地編の前記第２の非弾性糸と前記弾性糸と第１の非弾性糸とを同行させた１×１のトリコットであり、領域（Ｓ）を形成する際に適用される編み組織である。そして、図１６の第１の非弾性糸１００において１０８で示したコースは、第１の非弾性糸による編み組織は、シンカーループの方向が前記地編のシンカーループの方向と逆向きの１×１のトリコット（これを、「逆行１×１のトリコット」と略称することがある。）であり、編地の伸縮パワーをやや強めにしたり、あるいは伸縮性を変える領域（Ｈ）の一つとして用いられる。特に限定するものではないが、（Ｈ１）に比べて裁断したままの縁がほつれにくい傾向を有するので、裁断されたままの状態で縁始末不要な縁の編み組織の一部として用いても良い。その場合には、裁断されたままの状態で縁始末不要な縁の長さの２／３より小さい範囲が、（Ｈ３）から成る部分であることが好ましい。
【００９６】
尚、シンカーループの方向を１０５の部分から、１０８の部分の様に逆向きに変更する際には、例えば１０９で示したコースに鎖編みなどの組織を介して向きを変更することになる。第１の非弾性糸１００のあるコースに沿った部分のシンカーループ１００ａに注目すると、図１６では、シンカーループ１００ａの方向は、左下から右斜め上に向いている。同じコースに沿った部分の第２の非弾性糸１０１のシンカーループ１０１ａと、弾性糸１０２のシンカーループ１０２ａの方向は、いずれも右下から左斜め上に向いている。従ってシンカーループ１００ａの方向が前記地編のシンカーループ１０１ａ、１０２ａの方向と逆向きになっている。
【００９７】
図１６に示した１０８のシンカーループの方向が前記地編のシンカーループの方向と逆向きの１×１のトリコットは、閉じ目とする方が好ましい。
本発明で用いる経編地は、実際にはピエゾ変換素子などによるジャカード制御装置を有する経編機（例えば米国特許第５，３９０，５１２号、対応日本特開平６−１６６９３４号、など参照）、より具体的にはジャカード制御装置を有するシングルラッセル編機などを用いて、ジャカード筬Ｌ１に第１の非弾性糸、地筬Ｌ２に第２の非弾性糸、地筬Ｌ３に弾性糸を供給して同時に編まれるのであるが、伸縮パワーの変化や伸縮方向の変化の要求に応じて、第１の非弾性糸による編み組織を変化させることにより、編み組織の変化する領域の境界ラインを、要求に応じて、直線状にしたり、その少なくとも一部が曲線状であるものも含めて、任意のパターンの上述した第１の非弾性糸による、領域（Ｓ）、並びに任意のパターンの（Ｈ１）あるいは（Ｈ３）から選ばれた少なくとも１つの領域（Ｈ）を形成する方法を図面を用いて説明する。
【００９８】
以下、ジャカード筬Ｌ１に通糸されて編まれる第１の非弾性糸の編み組織の変化により、所定部分に領域（Ｈ）と領域（Ｓ）をパターン状に形成する例を、図２０を参照しながら説明する。なお、図２０に示すパターンは、単に編み組織の変化のさせ方を説明するためのパターン例に過ぎず、本発明にかかる衣料における緊迫力の強弱のパターンがこれに限定されるわけではない。
【００９９】
図２０に上述した様な領域（Ｈ）を有する経編地２０１の一例の平面図を示した。ここで仮に２０２が領域（Ｈ）、２０３が領域（Ｓ）、２０４も領域（Ｓ）とする。この経編生地を形成するための糸の供給方向は矢印Ｒの方向である。すなわち、ジャカード経編機によって編まれて経編機から排出される生地の排出方向（編み方向）が矢印Ｒの方向である。
【０１００】
図２０のＷｎ番目のウェールを編む場合は、ｍ０番目のコースからｍ１番目のコースまでは、領域（Ｓ）で採用する組織、すなわち地編と同じ１×１のトリコット（図１５の第１の非弾性糸１００の１０５の部分の編み組織参照）で編み、ｍ１番目のコースとｍ２番目のコースの間は例えばハーフ編（図１５の第１の非弾性糸１００の１０６の部分の編み組織参照）で編み、ｍ２番目のコースからｍ３番目のコースは地編と同じ１×１のトリコットで編むことになる。同様に図２０のＷｎ＋ｘ番目のウェールを編む場合は、ｍ０番目のコースからｑ１番目のコースまでは、地編と同じ１×１のトリコットで編み、ｑ１番目のコースとｑ２番目のコースの間はハーフ編で編み、ｑ２番目のコースからｍ３番目のコースは地編と同じ１×１のトリコットで編むことになる。かかる編み方は、前述の様なジャカード制御装置を有する経編機のコンピーターに各ウェールと各コースについて上述の様な指令を入力することにより実現できる。尚、上記のハーフ編の部分を、シンカーループの方向が前記地編のシンカーループの方向と逆向きの１×１のトリコット（図１６の第１の非弾性糸１００の１０８の部分の編み組織参照）にしたり、適宜、要求に応じて変更できる。
【０１０１】
図２１に、一モデルサンプルとして、前記第１の非弾性糸の編み組織の変化とともに弾性糸による伸縮パワーの異なる複数の領域が更に形成され適宜の形状に裁断されて、裁断されたままの状態で縁始末不要な縁を有する本発明で用いる衣料の一部を構成する部片（Ｐ）の一態様の模式的平面図を示した。
【０１０２】
尚この部片（Ｐ）の形状は、単に、説明のために取り上げた形状であり、ある特定の衣料の部片に適用する厳密な形状ではない。しかし例えば、ある種のショートガードルの前脇から脇をカバーし背部のヒップ部をカバーするための左側の部片に近い形状の部片を説明用のモデルとして採用したものである。図の右側部分が、後中心側となり、上側がウェストライン、左下側が裾ラインとなる。後述する図２２なども同様の趣旨の図面である。
【０１０３】
図２１に示した部片（Ｐ）３００は、３０１下縁（例えば裾ライン）及び３０２上縁（例えばウェストライン）の縁が、裁断されたままの状態でほつれの生じない縁始末不要な縁であり、３０３が第１の非弾性糸の編み組織変化により形成された領域（Ｈ）でカーブした帯状パターンの領域、３０４が弾性糸により形成された伸縮パワーの強い領域（例えば、他の部分より太い弾性糸が編み込まれて伸縮パワーが強められた領域）であり、弾性糸により形成された伸縮パワーの強い領域３０４の伸縮パワーの切り替えライン３０４ａ、３０４ｂ（以下、特に断らない限り両者をまとめて単に３０４ａｂと略称する）の方向と、縁始末不要な縁３０１の方向３０６や縁始末不要な縁３０２の方向３０７とは非平行になっている例を示した。尚、この編地の編み方向は、３０５の矢印で示された方向であり、従って弾性糸による伸縮パワーの切り替えライン３０４ａｂの方向は編み方向と同方向になる。しかし、縁始末不要な縁３０１や３０２の方向３０６や３０７が、編み方向３０５の方向と同一方向（平行方向）に限定されてしまうと言うことはない。縁始末不要な縁３０１や３０２は、裁断により、比較的自由な方向や形状に裁断できるからである。
【０１０４】
しかも、第１の非弾性糸による編み組織の変化する領域（Ｈ）の境界ラインの少なくとも一部が曲線状である様な伸縮パワーないしは伸縮方向が変化する領域と弾性糸による伸縮パワーの変化する領域も合わせて有し、種々のグレードの伸縮パワーを有する領域あるいは伸縮方向が変化する領域を比較的自由に設計でき、且つ裁断したままでほつれの生じにくい縁始末不要な縁を少なくとも一部に有する部片（Ｐ）を形成できる。第１の非弾性糸による編み組織の変化による領域３０３と弾性糸による伸縮パワーの強められた領域３０４が重なった領域が最も伸縮パワーの強い領域となる。尚、この態様では、領域３０３以外の領域は、領域（Ｓ）を示している。
【０１０５】
次に図２２に、前記図２１と同様に、前記第１の非弾性糸の編み組織の変化とともに弾性糸による伸縮パワーの異なる複数の領域が更に形成され適宜の形状に裁断されて、裁断されたままの状態でほつれの生じない縁始末不要な縁を有する本発明で用いる衣料の一部を構成する部片（Ｐ）の別の一態様の模式的平面図を示した。
【０１０６】
図２２に示した編地３００は、３０２と３０１の上下の縁が、裁断により形成された縁で、裁断されたままの状態で縁始末不要な縁であり、以下、図２１と同一の部分には同一の符号を付して重複説明は省略した。下側の縁３０１が、波形形状になっている点が、図２１に示した部片（Ｐ）と異なるのみである。
【０１０７】
そしてこの場合も弾性糸により形成された伸縮パワーの強い領域３０４の伸縮パワーの切り替えライン３０４ａ、３０４ｂの方向と、縁始末不要な縁３０１の方向３０６や縁始末不要な縁３０２の方向３０７とは非平行になっている。縁３０１は波形形状の曲線であるが、その波の進行方向に相当する全体としての縁３０１の方向は、矢印３０６の方向と言える。光は波動するが、全体として直線で進行方向を描いているのと同じ扱い方である。矢印３０６は、縁始末不要な３０１の波形の波を上下に分割する中央線をもって全体としての方向としたが、波形の波の頂点を結ぶ接線ラインをもってしても全体としての方向が示せる。この場合においても縁始末不要な縁３０１や３０２の方向３０６や３０７が、編み方向３０５の方向と同一方向（平行方向）に限定されてしまうと言うことはない。縁始末不要な縁３０１や３０２は、裁断により、比較的自由な方向や形状に裁断できるからである。尚、図示したものは、波形状の波の形が均等な波の例を示しているが、波形状は波の形が均等になっている形状でも不均等になっている形状でもよい。
【０１０８】
また、本発明の衣料で用いる前記部片（Ｐ）の裁断されたままの状態で縁始末不要な縁からなる衣料上端又は下端の縁の少なくとも一方の縁が、当該編地の編み方向に対し、好ましくは２０〜８０度、より好ましくは３０〜６０度、より一層好ましくは４０〜５０度、最も好ましくは４５度前後（具体的には４３〜４７度）の角度で裁断された縁とすることが好ましい。この角度は、図２１や図２２においては、角αで示した。これらの図では示していないが、衣料上端（特にウェストライン）の方向３０７が、当該編地の編み方向に対し、上記範囲の角度で裁断されていることも同様に極めて好ましい。かかる本発明の好ましい態様とすることにより、裁断されたままの状態で縁始末不要な縁の身体へのフィット性が向上し、当該縁部分が、着用者の身体外側にカールすることを防止でき好ましい。即ち、裁断されたままの状態で縁始末不要な縁を、衣料の上端又は下端、例えば、ウェストや裾などに有する衣料は、当該縁部分が、着用者の身体外側にカールする場合がある。このようなカールを生じないようにするには、上記縁始末不要な縁となる部分の裁断ラインを、当該編地の編み方向に対し上述の角度となるように裁断することが好ましい。編地の編み方向とは、編地を編む場合の糸の供給方向に相当する。上記において編み方向に対し２０〜８０度とは、編み方向のラインを仮定した場合にその左右のいずれか側に２０〜８０度の角度であること、言い換えれば編み方向の進行方向側に角の頂点側が向いている角の角度で、編み方向の進行方向ラインに対し±２０〜８０度の角度である。
【０１０９】
一方、裁断されたままの縁のほつれが目立ちにくいという別の観点からは、縁始末不要な縁のラインの方向は、編み方向に対し、４５度を超えない範囲の角度で裁断されている縁であることも好ましい。尚、裁断されたままで端始末不要な縁を、身体外側にカールすることを防止する必要性の少ない部位に使用する場合には、４５度を超えない範囲で裁断した縁を有する部片を使用することも好ましい。また、裁断縁を直線状ではなく、波形などに裁断した部片を使用すれば、縁部が身体外側にカールすることを防止でき好ましい。
【０１１０】
衣類の部片（Ｐ）を裁断する際に、複数の縁部を裁断したままで縁始末不要な縁とする場合、いずれかの箇所は、編み方向に対し２０〜８０度では裁断できず、編み方向に２０度未満の角度で裁断せざるを得ない箇所がある。その様な縁部は波形に裁断すれば、波形のカーブとなった縁部の裁断角度が２０〜８０度とすることもでき、縁部全体を実質的に２０〜８０度で裁断した効果を得られる。例えばショートガードルのウエストラインと裾を共に裁断したままで縁始末不要な縁とする場合など、両方の端部を２０〜８０度で裁断できないこともあり、かかる場合に、一方の縁を波状の縁にすることは好ましい。
【０１１１】
また、裁断されたままの縁の部分の編み組織は、当該縁の長さの２／３以上が、第１の非弾性糸と前記地編の前記第２の非弾性糸と前記弾性糸とを同行させた１×１のトリコットの組織、即ち前述した領域（Ｓ）で採用している組織であることが必要であり、好ましくは裁断されたままの状態で縁始末不要な縁の長さの全部がこの組織で形成されていることが、縁のほつれがより一層少なくでき好ましい。縁始末不要な縁の長さの一部が領域（Ｓ）でない場合には、縁始末不要な縁の長さの一部は、逆行１×１のトリコットである（Ｈ３）で採用される編み組織としてもよい。その場合には、裁断されたままの状態で縁始末不要な縁の長さの２／３より小さい範囲が、（Ｈ３）から成る部分であることが好ましい。
【０１１２】
本発明で用いる部片（Ｐ）用の経編地を製造するのに使用する第１及び第２の非弾性糸ないしは第３の非弾性糸としては、伸縮性衣類の種類により異なるが、ナイロンやポリエステルなどの合成繊維、レーヨンなどの半合成繊維、絹や綿などの天然繊維のいずれでも、またフィラメント糸、紡績糸のいずれも使用することができる。なかでも吸水性に富むナイロンはインナーウエア用編地として好ましく用いられる。弾性糸についてもとくに制限はないが、一般にポリウレタン弾性糸が使用できる。
【０１１３】
そして、かかる伸縮性経編地においては、編み目の安定性、裁断されたままの縁のほつれ防止効果などを得る目的でプレセット処理または／およびヒートセット処理の施されているものが、好適である。処理温度は、装置の形状、プレセット処理時間、ヒートセット処理時間、素材の種類、編地の厚さなどにもよるが、１８０℃以上、好ましくは１８５℃以上の温度で、さらに確実に前記の効果を得るには１９０℃〜１９５℃の範囲で前記処理が施されていると、編地の一部が軟化し編目が軽く融着して編地の形態が安定し、裁断されたままの縁のほつれが特に生じにくくなり好ましい。ヒートセット処理時間は、たとえば６〜８チャンバー構成（チャンバーの合計長さが約１５〜３０ｍ）の装置を用いた場合、１５〜４０ｍ／分程度、好ましくは１５〜２４ｍ／分程度がよい。
【０１１４】
また、一般的な編地では仕上巾を１６０ｃｍ前後にするが、この伸縮性経編地では可能な範囲で仕上巾を短くし（例えば、１１０〜１３０ｃｍ程度）、高密度に編成したものが、伸縮性衣類において編目の美しさを保持しつつ、その安定性を向上するために望ましい。使用する編糸の繊度等にもよるが、２．５４ｃｍ（１インチ）当たり５５ウエール以上、好ましくは６０ウエール以上、より好ましくは６５ウエール以上、更に好ましくは７０ウエール前後の高密度に編地を編成することが好ましい。ただし、非弾性糸としてセルロース糸や綿糸が編み込まれている場合はこの限りではない。
【０１１５】
さらに、通常に較べて非弾性糸の使用糸量を増やし、長くし、且つ弾性糸は短くし、非弾性糸のランナー長を弾性糸のランナー長に比べてかなり長くした伸縮性経編地を好ましく使用する。具体的には、通常８０ｃｍ／ラック以下の非弾性糸のランナーを８５〜１２０ｃｍ／ラック、好ましくは９５〜１１５ｃｍ／ラックとし、通常６０ｃｍ／ラック以下の弾性糸のランナーを７０〜１１０ｃｍ／ラック、好ましくは７５〜１０５ｃｍ／ラックにして編成することが好ましい。
【０１１６】
尚、ここで、「ランナー」とは、一定コース数（これを「ラック」と言い、通常、４８０コースを１ラックとする）を編むのに使用する糸の長さ（ｃｍ）を言う。
【０１１７】
尚、本発明で用いる裁断されたままの状態で縁始末不要な縁を形成しうる部片（Ｐ）の経編地は、レース生地ではない。
【０１１８】
そして、弾性糸により部分的に伸縮パワーの強い領域など、伸縮パワーの変化している領域を設けるには、（ａ）編み込む弾性糸の太さが異なる複数の領域を形成する方式、（ｂ）編み込む弾性糸の本数が異なる複数の領域を形成する方式、（ｃ）前記（ａ）又は（ｂ）の各領域の幅を変化させる方式、（ｄ）前記（ａ）、（ｂ）、（ｃ）の方式の少なくとも２つ以上を組み合わせた方式のいずれかの方式により弾性糸による伸縮パワーの強い領域と前記領域より伸縮パワーの弱い領域を形成することができる。
【０１１９】
例えば、前記経編地に編み込まれる弾性糸のうち、伸縮パワーの強い領域には他の部分よりも繊度の大きな弾性糸を編糸に用いたり、又は、同じウェールに編み込む弾性糸の本数を多くしたりすることにより、上記のように弾性糸により締付パワーを強化した領域が一体に編成された伸縮性経編地とすることができる。
【０１２０】
この際、前記経編地全体に編み込まれている弾性糸を繊度の比較的小さい弾性糸とし、伸縮パワーを強めたい領域には、繊度の大きい弾性糸を更に編み込んで、伸縮パワーの強い領域とすることもできる。
【０１２１】
また、前述の様な伸縮パワーの強い領域の幅を細幅にした領域と伸縮パワーの弱い領域の幅を広幅にした領域を交互に設け、一方、伸縮パワーの強い領域の幅を広幅にした領域と伸縮パワーの弱い領域の幅を細幅にした領域とを交互に設けるなど、伸縮パワーの異なる領域の幅を調整することによって全体的に伸縮パワーの強弱を調整することも可能である。
【０１２２】
なお、弾性糸による伸縮パワーの強弱のグレードを３段階以上にしてもよく、その場合には、上述した弾性糸による伸縮パワーを変化させる手法を３段階以上になるように調整すればよい。
【０１２３】
特に限定するものではないが、前記伸縮性の経編地全体に編み込まれている非弾性糸の繊度は、２２〜１３２ｄｔｅｘが好ましく、より好ましくは３３〜５５ｄｔｅｘである。非弾性糸は、細い方が編目を高密度としやすい。一方、細すぎると強度が弱くなってしまう。よって、３３〜５５ｄｔｅｘが編地を高密度とでき、かつ安定し強度のある編み組織とすることができるので好ましい。
【０１２４】
また、弾性糸により伸縮パワーが変化する領域の伸縮パワーの弱い領域に編み込まれている弾性糸の繊度は、特に限定するものではないが、好ましくは３３〜７７ｄｔｅｘ、より好ましくは、４４〜５５ｄｔｅｘのものであり、弾性糸による伸縮パワーの強い領域に編み込まれている弾性糸の繊度は、好ましくは６６〜２３１ｄｔｅｘ、より好ましくは８８〜１５４ｄｔｅｘのものである。
【０１２５】
部片（Ｐ）の伸縮性の経編地において、前記経編地全体に編み込まれている弾性糸の繊度を、好ましくは３３〜７７ｄｔｅｘ、より好ましくは４４〜５５ｄｔｅｘの弾性糸とし、弾性糸による伸縮パワーの強い領域には、好ましくは６６〜２３１ｄｔｅｘ、より好ましくは８８〜１５４ｄｔｅｘの太さの弾性糸が更に編み込まれている態様とすることも好ましい。
【０１２６】
本発明の衣料において、以上のような部片（Ｐ）における裁断されたままの状態で縁始末不要な縁は、目的とする衣料の種類やデザインに応じて、前述した経編地を適宜裁断することで形成しうる。
【０１２７】
本発明の衣料において、以上のような裁断されたままの状態で縁始末不要な縁を有し、且つ弾性糸により伸縮パワーの強い領域が少なくとも１つ形成されている場合において、弾性糸による伸縮パワーの切り替えラインは編み方向と同一方向を向いた直線状であるが、当該部片（Ｐ）は、その当該弾性糸による伸縮パワーの切り替えラインの方向と、縁始末不要な裁断されたままの状態の縁のラインのうち衣料上端（ウェストライン部など）又は下端（裾部など）の縁の少なくとも一方の縁を構成するラインの方向とが、相互に非平行とすることができる。これは、衣料上端又は下端の縁の少なくとも一方の縁を目的とするデザインに応じて、比較的自由に目的とする方向に裁断することで形成しうるからである。尚、必ずしも衣料を構成する部片のすべてをかかる生地で構成する必要はないし、衣料の部位によっては、衣料上端（ウェストライン部）又は下端（裾部）の縁の少なくとも一方の縁のラインの方向と、その当該伸縮パワーの切り替えラインの方向とが、平行である部片が用いられている部分があっても差し支えない。また、衣料の一部の部位に縁始末が必要な生地を用いてもよい。
【０１２８】
第１の非弾性糸により緊迫力が比較的強い部分が領域（Ｈ）であり、この領域が、弾性糸により形成された伸縮パワーの強められた領域と部分的に重なる場合には、重なった部分の伸縮パワーがより一層強くなる。
【０１２９】
【発明の効果】
以上のように、本発明によれば、腹部にかかる緊迫力と、ヒップなどの腹部以外の箇所にかかる緊迫力とを連動させることにより、相乗的に体型補正機能を向上させた衣料を提供することができる。
【図面の簡単な説明】
【図１】本発明の一実施形態にかかるロングガードルを前側から見た斜視図。
【図２】図１のロングガードルを後側から見た斜視図。
【図３】図１に示したロングガードルの腹部布の一変形例を示す平面図。
【図４】図１に示したロングガードルの腹部布の他の変形例を示す平面図。
【図５】図１に示したロングガードルの腹部布のさらに他の変形例を示す平面図。
【図６】図１に示したロングガードルの腹部布の裁断図。
【図７】図１に示したロングガードルの右身頃布の裁断図。
【図８】図１に示したロングガードルに用いることのできる右身頃布において、弾性糸の挿入によって緊迫力の異なる領域を形成した様子を示す裁断図。
【図９】図８の裁断図に従って形成されるロングガードルを後側から見た斜視図。
【図１０】本発明の他の実施形態にかかるショートガードルを前側から見た斜視図。
【図１１】図１０のショートガードルを後側から見た斜視図。
【図１２】図１０に示したショートガードルの右身頃布の裁断図。
【図１３】図１２の裁断図に従って形成されるショートガードルを後側から見た斜視図。
【図１４】本発明のさらに他の実施形態にかかるロングガードルを前側から見た斜視図。
【図１５】伸縮性経編地の部片（Ｐ）中で使用される編み組織の一態様。
【図１６】伸縮性経編地の部片（Ｐ）中で使用される編み組織の他の一態様。
【図１７】部片（Ｐ）の地編み組織の一態様。
【図１８】部片（Ｐ）の地編み組織の別の一態様。
【図１９】部片（Ｐ）の地編み組織の更に別の一態様。
【図２０】帯状であり且つカーブした連続パターンの領域（Ｈ）を有する経編地の一例の平面図。
【図２１】本発明で用いる衣料の一部を構成する部片（Ｐ）の一態様の模式的平面図。
【図２２】本発明で用いる衣料の一部を構成する部片（Ｐ）の別の一態様の模式的平面図。
【符号の説明】
１１            腹部布
１１ａ          緊迫力の比較的強い部分
１１ｂ〜１１ｅ  緊迫力の比較的弱い部分
１２            左身頃布
１２ａ          緊迫力の比較的強い部分
１２ｂ〜１２ｄ  緊迫力の比較的弱い部分
１２ｅ          緊迫力のさらに弱い部分
１３            右身頃布
１３ａ          緊迫力の比較的強い部分
１３ｂ〜１３ｄ  緊迫力の比較的弱い部分
１３ｅ          緊迫力のさらに弱い部分
１４            クロッチ布
２１            腹部布
２１ａ          緊迫力の比較的強い部分
２１ｂ〜２１ｅ  緊迫力の比較的弱い部分
２２            左身頃布
２２ａ          緊迫力の比較的強い部分
２２ｂ〜２２ｃ  緊迫力の比較的弱い部分
２２ｄ          緊迫力のさらに弱い部分
２３            右身頃布
２３ａ          緊迫力の比較的強い部分
２３ｂ〜２３ｃ  緊迫力の比較的弱い部分
２３ｄ          緊迫力のさらに弱い部分
２４            クロッチ布
【図１】
2004339623.tif 000003
【図２】
2004339623.tif 000004
【図３】
2004339623.tif 000005
【図４】
2004339623.tif 000006
【図５】
2004339623.tif 000007
【図６】
2004339623.tif 000008
【図７】
2004339623.tif 000009
【図８】
2004339623.tif 000010
【図９】
2004339623.tif 000011
【図１０】
2004339623.tif 000012
【図１１】
2004339623.tif 000013
【図１２】
2004339623.tif 000014
【図１３】
2004339623.tif 000015
【図１４】
2004339623.tif 000016
【図１５】
2004339623.tif 000017
【図１６】
2004339623.tif 000018
【図１７】
2004339623.tif 000019
【図１８】
2004339623.tif 000020
【図１９】
2004339623.tif 000021
【図２０】
2004339623.tif 000022
【図２１】
2004339623.tif 000023
【図２２】
2004339623.tif 000024